(57)【特許請求の範囲】
【請求項１】
被検体に対して所定のＸ線条件でＸ線を曝射するＸ線発生手段と、
前記Ｘ線の曝射領域を限定する絞り手段と、
前記被検体の体内を透過したＸ線に基づいて所定サイズの画像を生成する生成手段と、
前記複数の撮影部位の各々に、前記画像上の領域であって撮影部位に応じた大きさ及び形状を有する第１の領域を対応付けて予め登録している登録手段と、
ユーザからの指示に従って撮影部位を決定する決定手段と、
前記画像中の、前記決定された撮影部位に前記登録手段上で対応付けられた第１の領域の輝度を計算する輝度計算手段と、
前記輝度に基づいて第１のＸ線条件を決定し、当該第１のＸ線条件を前記Ｘ線発生手段にフィードバック制御する制御手段と、
前記画像中において、前記絞り手段の影響を受けた領域と前記第１の領域とが重なるか否かを判別する判別手段と、
を具備し、
前記判別手段が重なると判別した場合、前記輝度計算手段は、前記第１の領域を前記絞り手段の影響を受けた領域とは重ならない第２の領域に変更し、当該第２の領域に基づいて輝度を計算し、
前記制御手段は、前記第２の領域の輝度に基づいて第２のＸ線条件を決定し、当該第２のＸ線条件を前記Ｘ線発生手段にフィードバック制御すること、
を特徴とするＸ線診断装置。
【請求項２】
前記輝度計算手段が実行する前記第２の領域に関する輝度計算、及び前記制御手段が実行する前記第２のＸ線条件に関するフィードバック制御は、前記絞り手段による絞り操作に連動してリアルタイムで実行されることを特徴とする請求項１記載のＸ線診断装置。
【請求項３】
撮影形態に応じて前記第１の領域を変更する変更手段をさらに具備し、
前記判別手段は、前記変更手段が前記第１の領域を変更した場合には、前記画像中において、当該変更後の第１の領域と前記絞り手段の影響を受けた領域とが重なるか否かを判別すること、
を特徴とする請求項１乃至２のうちいずれか一項記載のＸ線診断装置。
【発明の詳細な説明】
【０００１】
【発明の属する技術分野】
本発明は、自動輝度制御処理を有するＸ線診断装置に関する。
【０００２】
【従来の技術】
Ｘ線診断装置とは、被験者の体内を透過したＸ線の強弱を濃淡画像として表示する画像装置であり、診断・治療等の目的に応じて種々のものが存在する。この透過したＸ線像を可視化する手段は、大きく分けて撮影と透視の二つの方法に分けられる。例えば、透視を利用したＸ線診断装置では、収集したＸ線画像をテレビジョンのモニタにリアルタイムに動画として観察することができ、即時性に優れている。
【０００３】
透視或いは撮影を利用したＸ線診断装置（以下、Ｘ線診断装置）は、一般に自動輝度調整と呼ばれる機能を有している。この機能は、Ｘ線条件を変化させて、表示するＸ線透視画像の輝度を一定に自動調節するものである。
【０００４】
図７は、従来のＸ線診断装置における自動輝度調整機能を説明するための図であり、ＴＶモニタに表示されたＸ線透視像を示している。
【０００５】
従来のＸ線診断装置では、輝度計測手段（例えば、フォトマルやビデオレベルを計測する手段）によって、例えば図７に示すＸ線透視像内の輝度計測領域７０の平均輝度が計算される。そして、輝度計測領域７０の明暗を判別し、適切な輝度となるようにＸ線条件を決定してＸ線発生系にフィードバックすることで、自動輝度調節を行っていた。
【０００６】
ところで、Ｘ線診断装置による診断時において、被検体の余分な被曝の防止或いは表示された画像をより見やすくする等を目的として、Ｘ線発生系から曝射されるＸ線ビームをＸ線絞り装置により絞る場合がある。この場合、Ｘ線透視画像は当該絞りによる影響を受け、図７に示すように表示される画像領域が限定される。
【０００７】
【発明が解決しようとする課題】
しかしながら、図７に示すように輝度計測領域７０に掛かる様な絞りが実行されると、上述した従来の自動輝度調節機能では、輝度計測領域７０に基づいて平均輝度を計算するため、絞りの影響を受けた領域を含んだ輝度調節を実行してしまう。従って、Ｘ線透視画像を過度に明るくする輝度調節となってしまい、最適な輝度を提供しうるＸ線条件を決定することができない。
【０００８】
また、診断における関心領域は、部位によって異なるのが一般的である。しかし、従来のＸ線診断装置における輝度計測領域７０は、撮影対象（部位）に関わらず一定の形状・大きさに固定されていた。従って、表示された部位によっては、輝度計測領域７０は関心領域と対応していない場合があり、部位に応じた適切な輝度調節が実行できないことがあった。
【０００９】
【課題を解決するための手段】
本発明は、上記事情に鑑みてなされたもので、Ｘ線絞りの影響を受けず、また、検査部位に応じた適切な輝度制御処理を容易に実行することができるＸ線診断装置を提供することを目的とし、以下の特徴を具備するものである。
【００１０】
請求項１に記載の発明は、被検体に対して所定のＸ線条件でＸ線を曝射するＸ線発生手段と、前記Ｘ線の曝射領域を限定する絞り手段と、前記被検体の体内を透過したＸ線に基づいて所定サイズの画像を生成する生成手段と、前記複数の撮影部位の各々に、前記画像上の領域であって撮影部位に応じた大きさ及び形状を有する第１の領域を対応付けて記憶する記憶手段と、ユーザからの指示に従って撮影部位を決定する決定手段と、前記画像中の、前記決定された撮影部位に前記記憶手段上で対応付けられた第１の領域の輝度を計算する輝度計算手段と、前記輝度に基づいて第１のＸ線条件を決定し、前記決定された第１のＸ線条件を前記Ｘ線発生手段にフィードバック制御する制御手段と、前記画像中において、前記絞り手段の影響を受けた領域と前記第１の領域とが重なるか否かを判別する判別手段と、を具備し、前記判別手段が重なると判別した場合、前記輝度計算手段は、前記第１の領域を前記絞り手段の影響を受けた領域とは重ならない第２の領域に変更し、当該第２の領域に基づいて輝度を計算し、前記制御手段は、前記第２の領域の輝度に基づいて第２のＸ線条件を決定し、当該第２のＸ線条件を前記Ｘ線発生手段にフィードバック制御すること、を特徴とするＸ線診断装置である。
【００１８】
【発明の実施の形態】
以下、本発明の実施形態を図面に従って説明する。本発明は、透視によるＸ線診断装置及び撮影によるＸ線診断装置（或いは、透視モードと撮影モードとによる画像撮影を行うＸ線診断装置）の双方について適用可能である。
【００１９】
図１は、本実施形態に係るＸ線診断装置の概略構成を示した図である。
【００２０】
図１において、Ｘ線診断装置は、高電圧発生装置１１、Ｘ線管球１３、Ｘ線絞り装置１５、検出器１７と、透視画像処理装置２０に設けられた、検出器インタフェース２２、輝度算出用画像メモリ２４、Ｘ線絞りインタフェース２６、高電圧発生装置インタフェース２８、ＣＰＵ３０、ビデオ信号変換部３２と、装置本体に接続されたＴＶモニタ３４、操作卓３６を具備している。
【００２１】
図１において、高電圧発生装置１１は、Ｘ線管球１３に高電圧を供給する装置である。
【００２２】
Ｘ線管球１３は、Ｘ線を発生する真空管であり、高電圧発生装置１１で発生された高電圧により電子を加速させ、ターゲットに衝突させることでＸ線を発生させる。
【００２３】
Ｘ線絞り装置１５は、Ｘ線管球１３と被検体の間に設けられ、Ｘ線管球１３のＸ線焦点から曝射されたコーン状のＸ線ビームを整形し、所要の立体角のＸ線ビームを形成する。
【００２４】
位置検出装置１６は、Ｘ線絞り装置１５の絞りにに関する位置情報を検出し、Ｘ線絞りＩ／Ｆ２６を介してＣＰＵ３０へ送り出す。具体的には、絞り装置１５がＸ線を成形する領域のサイズと、当該絞り装置１５から検出器１７までの距離等を検出し、位置情報としてＣＰＵ３０へ送り出す。
【００２５】
なお、絞り装置１５から検出器１７までの距離に関しては、当該位置検出装置１６によらず、別の検出器によって距離を検出しＣＰＵ３０に転送する構成であってもかまわない。
【００２６】
検出器１７は、被検体Ｐを透過したＸ線透過データを検出し、検出器インタフェース２２へ出力する。検出器には、一般に、半導体デバイスを使用した平面検出器と、Ｘ線蛍光増倍管（イメージ・インテンシファイア）と光学系とから構成される検出器とがある。本発明に係るＸ線診断装置には、いずれを用いてもかまわないが、本実施形態では、説明の簡略化のため、平面検出器とする。
【００２７】
検出器インタフェース２２は、検出器１７によってデジタル変換されたデジタル透視画像データを入力し、ＣＰＵ３０や輝度算出用画像メモリ２４等に転送する。
【００２８】
輝度算出用画像メモリ２４は、検出器インタフェース２２からのデジタル透視画像データを入力し、フレーム毎に記憶する記憶部である。
【００２９】
Ｘ線絞りインタフェース２６は、ＣＰＵ３６からの制御信号を所定の信号列に変換し、Ｘ線絞り装置１５への送信を行う。
【００３０】
高電圧発生装置インタフェース２８は、Ｘ線発生のためのＣＰＵ３０からの制御信号を、高電圧発生装置１１に転送するインタフェースである。
【００３１】
ＣＰＵ３０は、Ｘ線透視画像データの収集に関する制御、及び収集した画像データの画像処理に関する制御を行う中央処理装置である。また、ＣＰＵ３０は、輝度算出用画像メモリ２４に記憶されたＸ線透視画像データの輝度計算、Ｘ線絞り装置１５から入力する絞り位置情報に基づく輝度計測領域の変更、計算された輝度に基づくＸ線条件の決定、当該Ｘ線条件の高電圧発生装置１１へのフィードバック等の制御を実行する。
【００３２】
ビデオ信号変換部３２は、入力したＸ線透視画像データの信号列を、ビデオフォーマットにラ信号変換する。
【００３３】
ＴＶモニタ３４は、ビデオ信号変換部により出力された画像データを表示する。
【００３４】
操作卓３６は、キーボードや各種スイッチ、マウス等を備えた入力装置である。
【００３５】
（自動輝度制御処理）
次に、上記のように構成したＸ線診断装置において、Ｘ線絞り操作を実行した場合の自動輝度制御処理を、透視によって診断を行う場合を例として以下図３、図４を参照しながら説明する。
【００３６】
なお、自動輝度制御処理とは、Ｘ線透視画像中の基準領域に関する平均輝度が適切な輝度となるように、Ｘ線条件を再設定し高電圧発生装置１１にフィードバックする制御法である。なお、Ｘ線条件とは、Ｘ線管電流、Ｘ線電圧等である。
【００３７】
図２は、本発明に係るＸ線診断装置の特徴の一つである、輝度測定領域を随時変更可能な自動輝度制御の手順の一例を示すフローチャートである。
【００３８】
図３は、自動輝度制御処理を説明するための図であり、ＴＶモニタに表示された背骨のＸ線透視画像と、初期設定されている関心領域（ＲＯＩ）とを示している。
【００３９】
図２において、まず、所定の入力により、検査プロトコルが決定される（ステップＳ１）。この検査プロトコルは、検査部位の選択等によって決定される。
【００４０】
次に、ＣＰＵ３０は、位置情報検出装置１６よりＸ線絞り装置１５の絞りに関する位置情報を取得する（ステップＳ２）。
【００４１】
そして、この位置情報に基づいて、一フレーム画像においてＸ線絞りによって影響を受ける領域を算出し、当該領域と初期設定された関心領域（以下、本実施形態では、第１の輝度計測領域と称する）とが重なるか否かを判別する（ステップＳ３）。
【００４２】
具体的には、絞り装置１５がＸ線を成形する領域のサイズと、当該絞り装置１５から検出器１７までの距離とがわかれば、検出器１７上のＸ線照射領域を特定することができる。
【００４３】
ステップＳ３において、第１の輝度計測領域４０と絞りによって影響を受けた範囲とが重なる（図７参照）と判別された場合には、ステップＳ４に移行し、本発明の特徴の一つである、以下に述べる自動輝度調節に関する基準領域の変更を実行する。
【００４４】
すなわち、ＣＰＵ３０は、ステップＳ３において特定した絞りの影響を受ける領域に基づいて、図３に示した第１の輝度計測領域４０を、図４に示した絞りの影響を受けない第２の輝度計測領域４２に変更する。そして、ＣＰＵ３０は、第２の輝度計測領域４２を自動輝度調節に関する基準領域として設定する。（ステップＳ４）。
【００４５】
なお、変更後の基準領域は、ステップＳ２において述べたＸ線照射領域が一フレーム内に占める領域を算出することで求めることができる。
【００４６】
一方、ステップＳ３において、第１の輝度計測領域と絞りによって影響を受けた範囲とが重ならないと判別された場合には、ステップＳ３に移行し、自動輝度制御の基準領域を第１の輝度計測領域４０に設定する（ステップＳ５）。
【００４７】
なお、第１の輝度計測領域４０は、操作卓３６からの変更操作により任意の形状に変更することができる。また、第１の輝度計測領域４０は、撮影対象（撮影部位）によって適切な形状、大きさ等が存在する。従って、適切な形状、大きさ等を有する第１の輝度計測領域４０が、撮影対象に応じて自動的に設定される構成であることが好ましい。この内容については、後で詳しく説明する。
【００４８】
次に、所定のタイミングによってＸ線管球１３からＸ線が曝射され、被検体Ｐを透過したＸ線透過データが検出器１７によって取得される（ステップＳ６）。
【００４９】
そして、ＣＰＵ３０は、ステップＳ４或いはステップＳ５において設定された基準領域に関する自動輝度制御を実行する（ステップＳ７）。
【００５０】
すなわち、取得されたＸ線透過データは、検出器インタフェース２２を介して、輝度算出用画像メモリ２４にフレーム毎に記憶される。ＣＰＵ３０は、輝度算出用画像メモリ２４に記憶された一のフレームのデジタル透視画像を読み出し、当該画像中に設定された基準領域に関する輝度計算を実行する。この輝度計算は、当該基準領域の全画素の平均として算出される。そして、ＣＰＵ３０は、基準領域内の透視画像が適切な輝度となるようなＸ線条件を設定し、高電圧発生装置１１にフィードバックする。
【００５１】
このような自動輝度制御の結果、適切な輝度調節が行われたＸ線透視画像を、ＴＶモニタ３４に表示する（ステップＳ８）。
【００５２】
以上の手順により、Ｘ線絞りに影響を受けない最適な輝度制御を行い、適切な輝度でＸ線透視画像を表示することができる。なお、当該輝度制御機能は、連続して実行することも可能である。その手順を以下簡単に述べる。
【００５３】
図５（ａ）、（ｂ）、（ｃ）は、連続してＸ線絞り操作を実行した場合の自動輝度制御処理を説明するための図である。
【００５４】
例えば、図５（ａ）に示すようなＸ線透視画像に対して絞り操作を加えた結果、図５（ｂ）に示す第２の輝度計測領域４２が設定され、当該領域に基づく自動輝度制御処理が実行されたとする。
【００５５】
そして、図５（ｂ）に示した透視画像に対して、所定の絞り操作をさらに加えた場合には、図２に示した手順を再び繰り返すことで、図５（ｃ）に示すように第３の輝度計測領域４４が設定され、当該領域に基づく自動輝度制御処理が実行される（今の場合、検査プロトコルは変更されていないので、実際にはステップＳ２からの処理となる。さらに、ステップＳ３の判別及びステップＳ５の処理は第２の輝度計測領域４２に基づいて実行され、また、ステップＳ４の処理は、第３の輝度計測領域４４に基づく）。更なる絞り操作、或いは開放操作によっても同様な自動輝度制御処理が実行されることは、言うまでもない。
【００５６】
次に、撮影対象（部位）ごとに第１の輝度計測領域を自動設定する機能について説明する。
【００５７】
一般に、第１の輝度計測領域は関心領域とされ、診断において特に重要な透視画像情報が表示される領域である。この関心領域は、撮影対象（撮影部位）によって適切な形状、大きさ等が存在する。従って、診断対象に応じた領域が設定されることが好ましい。この事情に鑑み、本発明に係るＸ線診断装置は、撮影対象ごとに自動的設定される機能を有している。この機能について、図６を参照しながら以下説明する。
【００５８】
図６は、部位毎に輝度計測領域を自動設定する機能を説明するための図である。
【００５９】
図６において、検査プロトコル５０は、上述したように検査部位の選択等によって決定され、例えば「頭部プロトコル」、「腹部プロトコル」、「下肢プロトコル」等に分類されている。ＣＰＵ３０は、図２のステップＳ１において決定された検査プロトコルに基づいて、それぞれの部位に対応させて予め登録されている第１の輝度計測領域４０によって、図２のステップＳ３の判別が実行される。図６には、各部位に対応させた第１の輝度計測領域の例を示してある。これらの各領域は、当然のごとく、登録内容を変更することで任意の形状・大きさにすることができる。
【００６０】
以上述べた構成によれば、以下の効果を得ることができる。
【００６１】
従来では、図７に示したように、絞りの影響を受けた領域と絞りの影響を受けない領域とを含む輝度計測領域のままで自動輝度制御を行っていたので、適切な輝度調節が実行されていなかった。
【００６２】
これに対し、本発明に係るＸ線診断装置は、基準領域である第１の輝度計測領域４０を、例えば図５に示すように絞りの影響を受けない第２の輝度計測領域４２に変更するので、当該絞りによる影響を受けない適切な輝度調節を容易に実行することができる。その結果、適切で見やすいＸ線透視画像を提供することができる。
【００６３】
また、この自動輝度制御は随時実行されているので、Ｘ線絞り操作を行った場合でも、適切で見やすいＸ線透視画像を容易にリアルタイムで提供することができる。
【００６４】
さらに、検査部位ごとに適した輝度計測領域が自動設定されるので、所定の部位観察に適した輝度を提供することができる。従って、基準領域の変更処理を省くことができ、効率化を図ることができる。
【００６５】
（自動撮影条件推定処理）
次に、本Ｘ線診断装置が行う自動撮影条件推定処理について説明する。
【００６６】
一般に、Ｘ線診断装置においては、診断対象の詳細な静止画像或いは動画像を取得するための撮影モードと、一連のＸ線画像を連続的又は周期的に取得し、可視像をリアルタイムで表示する透視モードとによる撮影が可能である。撮影モードによる撮影と透視モードによる撮影とを比較した場合、初期設定されるＲＯＩの大きさ、照射されるＸ線強度等が異なる。具体的には、撮影モードにおいて初期設定されるＲＯＩの大きさは、撮影対象を含む領域とされることから、一般的に透視モードにおいて初期設定されるＲＯＩ（すなわち、上述した「第１の輝度計測領域」）よりも大きい。これに対し、現実の透視モードでは位置決めを目的として撮影系を移動させながらの観察が多いことから、第１の輝度計測領域は、フレーム画像の中心付近に設定される場合が多い（なお、例えば図３に示す第１の輝度計測領域は、説明をわかりやすくする観点から、比較的大きな領域としてある。）。また、診断画像を収集するための撮影モードにおける照射Ｘ線の強度は、位置決めを目的とする透視モードのものよりも強い。
【００６７】
これらを利用した画像収集の一形態として、例えば、透視モードによって撮影系（Ｘ線管球１３、Ｘ線絞り装置１５、検出器１７、これらが設置された図示していないＣアーム等）の適切な位置決めをした後、撮影モードによる診断画像の撮影を行う場合がある。係る場合において、透視モードから撮影モードに移行するとき、上述した様に種々の条件が異なることから、通常のＸ線診断装置では全ての条件はリセットされる。従って、撮影モードを開始するとき、撮影モード用の新たな条件設定を行う必要があり、通常では、例えば撮影モードの一回目のＸ線照射に基づいて撮影条件が求められ、設定される。
【００６８】
これに対し、本Ｘ線診断装置では、透視モードによって撮影系の適切な位置決めの後、撮影モードによる診断画像の撮影を行う場合には、透視モードにおいて得られた情報を撮影モードに利用する自動撮影条件推定処理を実行する。この自動撮影条件推定処理によれば、撮影モードにおける一回目のＸ線照射から適切な撮影条件の設定ができ、迅速なＸ線診断画像の収集が可能となる。
【００６９】
図７は、自動撮影条件推定処理を含む本Ｘ線診断装置の一連の撮影動作を説明するためのフローチャートである。
【００７０】
図７において、まず、図２に示した手順に従って、透視モードによる撮影系の位置決めを行う（ステップＳ９）。なお、ここでは上述したステップＳ１〜ステップＳ８までの処理が実行されるものとする。
【００７１】
次に、操作者の操作卓３６からの所定の入力により、撮影モードに移行する（ステップＳ１０）。
【００７２】
撮影モードに移行した後、ＣＰＵ３０は、図２ステップＳ３において算出された一フレーム画像においてＸ線絞りによって影響を受ける領域と、撮影モードにおいて初期設定されているＲＯＩ（以下、「撮影モードＲＯＩ」）とが重なるか否かを判別する（ステップＳ１１）。
【００７３】
ステップＳ１１において、撮影モードＲＯＩと絞りによって影響を受けた範囲とが重なる（図７参照）と判断された場合には、ステップＳ１２に移行し、撮影モードＲＯＩを、絞りの影響を受ける領域とは重ならない最適化ＲＯＩへと変更し、基準領域とする。
【００７４】
すなわち、ＣＰＵ３０は、ステップＳ３において特定した絞りの影響を受ける領域に基づいて、例えば図３に示した撮影モードＲＯＩを図４に示す絞りの影響を受けない最適化ＲＯＩに変更する。そして、ＣＰＵ３０は、最適化ＲＯＩを自動輝度調整に関する基準領域として設定する（ステップＳ１２）
なお、最適化ＲＯＩは、第２の輝度計測領域４２の場合と同様に、ステップＳ２において述べたＸ線照射領域が一フレーム内に占める領域を算出することがきる。
【００７５】
一方、ステップＳ１１において、撮影モードＲＯＩと絞りによって影響を受けた範囲とが重ならないと判断された場合には、ステップＳ１３に移行し、撮影モードＲＯＩを基準領域に設定する（ステップＳ１３）。
【００７６】
次に、透視モードにおける撮影条件から、本撮影モードにおいての撮影条件を自動算出する（ステップＳ１４）。すなわち、透視モードにおいて取得された絞りの位置或いは最適な輝度値等の情報を利用して、Ｘ線照射を伴わずに撮影モードにおいての撮影条件を算出する。
【００７７】
次に、所定のタイミングによってＸ線管球１３からＸ線が曝射され、被検体Ｐを透過したＸ線撮影データが検出器１７によって取得される（ステップＳ１５）。
【００７８】
そして、ＣＰＵ３０は、ステップＳ１２或いはステップＳ１３において設定された基準領域に関する自動輝度制御を実行する（ステップＳ１６）。本自動輝度制御は、既に述べた通りである。
【００７９】
このような自動輝度制御の結果、適切な輝度調節が行われたＸ線撮影画像を、ＴＶモニタ３４に表示することができる（ステップＳ１７）。
【００８０】
以上述べた自動撮影条件推定処理によれば、透視モードで撮影系の位置決め処理を行い、引き続いて撮影モードにて診断画像を撮影する場合には、前段の撮影系の位置決め処理において取得した絞り位置情報を利用してＲＯＩの最適化を行うことができる。すなわち、透視モードにおいて取得した情報を利用することで、当該透視モードにおけるＲＯＩよりも大きな撮影モードＲＯＩが初期設定される撮影モードであっても、初回のＸ線照射から適切な自動輝度制御を行うことができる。従って、本Ｘ線診断装置によれば、適切で見やすいＸ線撮影画像を撮影することができ、また、
撮影モードにおいて再び絞り位置情報を取得する必要が無く、診断作業の効率化を図ることができる。
【００８１】
以上、本発明を各実施形態に基づき説明したが、本発明の思想の範疇において、当業者であれば、各種の変更例及び修正例に想到し得るものであり、それら変形例及び修正例についても本発明の範囲に属するものと了解される。例えば以下に示すように、その要旨を変更しない範囲で種々変形可能である。
【００８２】
例えば、図２或いは図７に示した処理の何れかのステップにおいて、割り込み操作として任意のタイミングでＸ線絞りの位置が変更された場合には、再びステップＳ１に戻って、新たなＸ線絞り位置情報に基づいた処理が実行される構成とすればよい。
【００８３】
また、各実施形態は可能な限り適宜組み合わせて実施してもよく、その場合組合わせた効果が得られる。さらに、上記実施形態には種々の段階の発明が含まれており、開示される複数の構成要件における適宜な組合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果の少なくとも１つが得られる場合には、この構成要件が削除された構成が発明として抽出され得る。
【００８４】
【発明の効果】
以上本発明によれば、Ｘ線絞りの影響を受けず、また、検査部位に応じた適切な輝度制御処理を容易に実行することができる。
【図面の簡単な説明】
【図１】図１は、本発明に係るＸ線診断装置の概略構成を示した図である。
【図２】図２は、輝度測定領域を随時変更可能な自動輝度制御の手順の一例を示すフローチャートである。
【図３】図３は、第１の輝度計測領域に関する自動輝度制御処理を説明するための図であり、ＴＶモニタに表示されたＸ線透視像を示している。
【図４】図４は、Ｘ線絞り操作を実行した場合の自動輝度制御処理を説明するための図であり、ＴＶモニタに表示されたＸ線透視像を示している。
【図５】図５（ａ）、（ｂ）、（ｃ）は、連続してＸ線絞り操作を実行した場合の自動輝度制御処理を説明するための図であり、ＴＶモニタに表示されたＸ線透視像を示している。
【図６】図６は、部位毎に輝度計測領域を自動設定する機能を説明するための図である。
【図７】図７は、自動撮影条件推定処理を含む本Ｘ線診断装置の一連の撮影動作を説明するためのフローチャートである。
【図８】図８は、従来の自動輝度制御処理を説明するための図である。
【符号の説明】
１１…高電圧発生装置
１３…Ｘ線管球
１５…線絞り装置
１６…位置検出装置
１７…検出器
２０…透視画像処理装置
２２…検出器インタフェース
２４…輝度算出用画像メモリ
２６…線絞りインタフェース
２８…高電圧発生装置インタフェース
３０…ＣＰＵ
３２…ビデオ信号変換部
３４…ＴＶモニタ
３６…操作卓
４０…第１の輝度計測領域
４２…第２の輝度計測領域
４４…第３の輝度計測領域
【図１】
0004776798.tif 000002
【図２】
0004776798.tif 000003
【図３】
0004776798.tif 000004
【図４】
0004776798.tif 000005
【図５】
0004776798.tif 000006
【図６】
0004776798.tif 000007
【図７】
0004776798.tif 000008
【図８】
0004776798.tif 000009